(57)【要約】【課題】個別の情報配信区域をカバーする基地局を自動的に特定することができる基地局情報送信制御装置及び基地局情報送信制御方法、基地局情報送信制御装置用のプログラム、及び基地局情報送信制御装置を含むシステムを提供することである。【解決手段】基地局情報送信制御装置１１０であって、地図データ格納部１１１と、基地局データ取得部と、マッピング部と、行政区域データ抽出部と、基地局データ格納部１１２と、情報配信先データ受信部と、受信した情報配信先データが示す情報配信先を包含する行政区域を特定する行政区域特定部と、基地局データ格納部１１２が格納する基地局データの中から、行政区域特定部が特定した行政区域の行政区域データと対応付けられている基地局データを抽出する基地局データ抽出部と、基地局データ抽出部が抽出した基地局データを、情報配信サーバ１６０に送信すべき基地局情報として出力する基地局情報出力部とを備える。【選択図】図１
2010258974.tif 000002
【特許請求の範囲】
【請求項１】
情報配信サーバに基地局情報を送信する基地局情報送信制御装置であって、
地図上に行政区域を識別する行政区域データを割り当てた地図データを格納する地図データ格納部と、
基地局から当該基地局を識別する基地局データと、当該基地局の少なくとも設置座標及びセルを特定するのに必要なデータを含む性能データとを取得する基地局データ取得部と、
前記基地局データ取得部が取得した性能データに基づいて、前記地図データ格納部が格納する前記地図データが示す地図上に前記基地局の設置座標及びセルをマッピングするマッピング部と、
前記マッピング部がマッピングした前記基地局のセルと前記地図データが示す地図上で重なり合う行政区域の行政区域データを抽出する行政区域データ抽出部と、
前記基地局のセルと前記地図データが示す地図上で重なり合う行政区域の対応関係に基づいて、前記基地局データ取得部が取得した前記基地局データと、前記行政区域データ抽出部が抽出した前記行政区域データとを対応付けて格納する基地局データ格納部と、
前記情報配信サーバから情報配信先を示す情報配信先データを受信する情報配信先データ受信部と、
前記情報配信先データ受信部が受信した前記情報配信先データが示す情報配信先を包含する行政区域を特定する行政区域特定部と、
前記基地局データ格納部が格納する前記基地局データの中から、前記行政区域特定部が特定した前記行政区域の行政区域データと対応付けられている基地局データを抽出する基地局データ抽出部と、
前記基地局データ抽出部が抽出した基地局データを、前記情報配信サーバに送信すべき基地局情報として出力する基地局情報出力部と
を備える基地局情報送信制御装置。
【請求項２】
前記基地局データ取得部は、複数の前記基地局を収容する無線ネットワーク制御局から、当該無線ネットワーク制御局を識別する無線ネットワーク制御局データをさらに取得し、
前記基地局データ格納部は、前記基地局データ取得部が取得した前記無線ネットワーク制御局データを、当該無線ネットワーク制御局が収容する各基地局の基地局データにそれぞれ対応付けて格納し、
前記基地局データ抽出部は、同一の前記無線ネットワーク制御局データが対応づけられた基地局データを抽出する場合、当該基地局データの抽出に代えて、当該無線ネットワーク制御局データを抽出し、
前記基地局情報出力部は、前記基地局データ抽出部が抽出した無線ネットワーク制御局データを、前記情報配信サーバに送信すべき基地局情報として出力する
請求項１に記載の基地局情報送信制御装置。
【請求項３】
前記マッピング部が前記基地局の設置座標及びセルをマッピングした地図データが示す地図を表示する表示部と、
前記表示部が表示した前記地図データが示す地図上の前記基地局の設置座標又はセルを変更する旨の入力を受け付ける変更入力受付部と
をさらに備え、
前記マッピング部は、前記変更入力受付部が受け付けた前記基地局の設置座標及び／又はセルの変更内容に基づいて、前記地図データが示す地図上に当該基地局の設置座標及び／又はセルのマッピングを更新し、
前記行政区域データ抽出部は、前記マッピング部が更新した前記基地局のセルと前記地図データが示す地図上で重なり合う行政区域の行政区域データを再抽出し、
前記基地局データ格納部は、前記行政区域データ抽出部が再抽出した前記基地局のセルと前記地図データが示す地図上で重なり合う行政区域の対応関係に基づいて、当該基地局の基地局データと前記行政区域データとの対応付けを更新する
請求項１または２に記載の基地局情報送信制御装置。
【請求項４】
情報配信サーバに基地局情報を送信する基地局情報送信制御方法であって、
地図上に行政区域を識別する行政区域データを割り当てた地図データを地図データ格納部に格納する地図データ格納ステップと、
基地局から当該基地局を識別する基地局データと、当該基地局の少なくとも設置座標及びセルを特定するのに必要なデータを含む性能データとを取得する基地局データ取得ステップと、
前記基地局データ取得ステップにおいて取得された性能データに基づいて、前記地図データ格納部が格納する前記地図データが示す地図上に前記基地局の設置座標及びセルをマッピングするマッピングステップと、
前記マッピングステップにおいてマッピングされた前記基地局のセルと前記地図データが示す地図上で重なり合う行政区域の行政区域データを抽出する行政区域データ抽出ステップと、
前記基地局のセルと前記地図データが示す地図上で重なり合う行政区域の対応関係に基づいて、前記基地局データ取得ステップにおいて取得された前記基地局データと、前記行政区域データ抽出ステップにおいて抽出された前記行政区域データとを対応付けて基地局データ格納部に格納する基地局データ格納ステップと、
前記情報配信サーバから情報配信先を示す情報配信先データを受信する情報配信先データ受信ステップと、
前記情報配信先データ受信ステップにおいて受信された前記情報配信先データが示す情報配信先を包含する行政区域を特定する行政区域特定ステップと、
前記基地局データ格納部が格納する前記基地局データの中から、前記行政区域特定ステップにおいて特定された前記行政区域の行政区域データと対応付けられている基地局データを抽出する基地局データ抽出ステップと、
前記基地局データ抽出ステップにおいて抽出された基地局データを、前記情報配信サーバに送信すべき基地局情報として出力する基地局情報出力ステップと
を備える基地局情報送信制御方法。
【請求項５】
コンピュータに、
地図上に行政区域を識別する行政区域データを割り当てた地図データを地図データ格納部に格納する地図データ格納手順と、
基地局から当該基地局を識別する基地局データと、当該基地局の少なくとも設置座標及びセルを特定するのに必要なデータを含む性能データとを取得する基地局データ取得手順と、
前記基地局データ取得手順において取得された性能データに基づいて、前記地図データ格納部が格納する前記地図データが示す地図上に前記基地局の設置座標及びセルをマッピングするマッピング手順と、
前記マッピング手順においてマッピングされた前記基地局のセルと前記地図データが示す地図上で重なり合う行政区域の行政区域データを抽出する行政区域データ抽出手順と、
前記基地局のセルと前記地図データが示す地図上で重なり合う行政区域の対応関係に基づいて、前記基地局データ取得手順において取得された前記基地局データと、前記行政区域データ抽出手順において抽出された前記行政区域データとを対応付けて基地局データ格納部に格納する基地局データ格納手順と、
前記情報配信サーバから情報配信先を示す情報配信先データを受信する情報配信先データ受信手順と、
前記情報配信先データ受信手順において受信された前記情報配信先データが示す情報配信先を包含する行政区域を特定する行政区域特定手順と、
前記基地局データ格納部が格納する前記基地局データの中から、前記行政区域特定手順において特定された前記行政区域の行政区域データと対応付けられている基地局データを抽出する基地局データ抽出手順と、
前記基地局データ抽出手順において抽出された基地局データを、前記情報配信サーバに送信すべき基地局情報として出力する基地局情報出力手順と
を実行させるためのプログラム。
【請求項６】
情報を配信する情報配信サーバと、
前記情報配信サーバに基地局情報を送信する基地局情報送信制御装置と
を備えるシステムであって、
前記基地局情報送信制御装置は、
地図上に行政区域を識別する行政区域データを割り当てた地図データを格納する地図データ格納部と、
基地局から当該基地局を識別する基地局データと、当該基地局の少なくとも設置座標及びセルを特定するのに必要なデータを含む性能データとを取得する基地局データ取得部と、
前記基地局データ取得部が取得した性能データに基づいて、前記地図データ格納部が格納する前記地図データが示す地図上に前記基地局の設置座標及びセルをマッピングするマッピング部と、
前記マッピング部がマッピングした前記基地局のセルと前記地図データが示す地図上で重なり合う行政区域の行政区域データを抽出する行政区域データ抽出部と、
前記基地局のセルと前記地図データが示す地図上で重なり合う行政区域の対応関係に基づいて、前記基地局データ取得部が取得した前記基地局データと、前記行政区域データ抽出部が抽出した前記行政区域データとを対応付けて格納する基地局データ格納部と、
前記情報配信サーバから情報配信先を示す情報配信先データを受信する情報配信先データ受信部と、
前記情報配信先データ受信部が受信した前記情報配信先データが示す情報配信先を包含する行政区域を特定する行政区域特定部と、
前記基地局データ格納部が格納する前記基地局データの中から、前記行政区域特定部が特定した前記行政区域の行政区域データと対応付けられている基地局データを抽出する基地局データ抽出部と、
前記基地局データ抽出部が抽出した基地局データを、前記情報配信サーバに送信すべき基地局情報として出力する基地局情報出力部と
を有するシステム。
【発明の詳細な説明】
【技術分野】
【０００１】
本発明は、基地局情報の送信処理を制御する基地局情報送信制御装置及び基地局情報送信制御方法、基地局情報送信制御装置用のプログラム、及び基地局情報送信制御装置を含むシステムに関する。
【背景技術】
【０００２】
通信事業者においては、次世代ネットワークに向けた通信高速化のために、小地域をカバーするマイクロセル、フェムトセル、無線ＬＡＮ（Ｌｏｃａｌ  Ａｒｅａ  Ｎｅｔｗｏｒｋ）、Ｗｉｒｅｌｅｓｓ  ＭＡＮ（Ｍｅｔｒｏｐｏｌｉｔａｎ  Ａｒｅａ  Ｎｅｔｗｏｒｋ）等の多数の基地局の設置が見込まれる。このような通信環境の状況の変化に伴い、情報配信事業者にあっては、情報配信区域を限定したブロードキャスト、マルチキャスト等のサービスを拡大していくと考えられる。
【先行技術文献】
【特許文献】
【０００３】
【特許文献１】特開２００５−１１７３５７号公報
【発明の概要】
【発明が解決しようとする課題】
【０００４】
しかしながら、情報配信区域を限定したブロードキャストやマルチキャストを実施するには、情報配信事業者が情報配信区域をカバーする範囲のセルを有する基地局を人為的に特定して設定しておく必要がある。このような人為的な方法によっては、情報配信区域をカバーする範囲のセルを有する基地局を特定するのに効率が悪い。また、このような人為的な方法によっては、情報配信先のエリアを変更する度に、基地局を特定し直さなければならず、基地局の設置座標等が変更されていないか定期的にチェックしなければならない等、運用後のメンテナンスが困難である。
【０００５】
本発明は、上記事情を考慮してなされたもので、その目的とする所は、個別の情報配信区域をカバーする基地局を自動的に特定することができる基地局情報送信制御装置及び基地局情報送信制御方法、基地局情報送信制御装置用のプログラム、及び基地局情報送信制御装置を含むシステムを提供することである。
【課題を解決するための手段】
【０００６】
上記課題を解決するために、本発明の基地局情報送信制御装置においては、情報配信サーバに基地局情報を送信する基地局情報送信制御装置であって、地図上に行政区域を識別する行政区域データを割り当てた地図データを格納する地図データ格納部と、基地局から当該基地局を識別する基地局データと、当該基地局の少なくとも設置座標及びセルを特定するのに必要なデータを含む性能データとを取得する基地局データ取得部と、前記基地局データ取得部が取得した性能データに基づいて、前記地図データ格納部が格納する前記地図データが示す地図上に前記基地局の設置座標及びセルをマッピングするマッピング部と、前記マッピング部がマッピングした前記基地局のセルと前記地図データが示す地図上で重なり合う行政区域の行政区域データを抽出する行政区域データ抽出部と、前記基地局のセルと前記地図データが示す地図上で重なり合う行政区域の対応関係に基づいて、前記基地局データ取得部が取得した前記基地局データと、前記行政区域データ抽出部が抽出した前記行政区域データとを対応付けて格納する基地局データ格納部と、前記情報配信サーバから情報配信先を示す情報配信先データを受信する情報配信先データ受信部と、前記情報配信先データ受信部が受信した前記情報配信先データが示す情報配信先を包含する行政区域を特定する行政区域特定部と、前記基地局データ格納部が格納する前記基地局データの中から、前記行政区域特定部が特定した前記行政区域の行政区域データと対応付けられている基地局データを抽出する基地局データ抽出部と、前記基地局データ抽出部が抽出した基地局データを、前記情報配信サーバに送信すべき基地局情報として出力する基地局情報出力部とを備える。
【０００７】
本発明の基地局情報送信制御方法によると、情報配信サーバに基地局情報を送信する基地局情報送信制御方法であって、地図上に行政区域を識別する行政区域データを割り当てた地図データを地図データ格納部に格納する地図データ格納ステップと、基地局から当該基地局を識別する基地局データと、当該基地局の少なくとも設置座標及びセルを特定するのに必要なデータを含む性能データとを取得する基地局データ取得ステップと、前記基地局データ取得ステップにおいて取得された性能データに基づいて、前記地図データ格納部が格納する前記地図データが示す地図上に前記基地局の設置座標及びセルをマッピングするマッピングステップと、前記マッピングステップにおいてマッピングされた前記基地局のセルと前記地図データが示す地図上で重なり合う行政区域の行政区域データを抽出する行政区域データ抽出ステップと、前記基地局のセルと前記地図データが示す地図上で重なり合う行政区域の対応関係に基づいて、前記基地局データ取得ステップにおいて取得された前記基地局データと、前記行政区域データ抽出ステップにおいて抽出された前記行政区域データとを対応付けて基地局データ格納部に格納する基地局データ格納ステップと、前記情報配信サーバから情報配信先を示す情報配信先データを受信する情報配信先データ受信ステップと、前記情報配信先データ受信ステップにおいて受信された前記情報配信先データが示す情報配信先を包含する行政区域を特定する行政区域特定ステップと、前記基地局データ格納部が格納する前記基地局データの中から、前記行政区域特定ステップにおいて特定された前記行政区域の行政区域データと対応付けられている基地局データを抽出する基地局データ抽出ステップと、前記基地局データ抽出ステップにおいて抽出された基地局データを、前記情報配信サーバに送信すべき基地局情報として出力する基地局情報出力ステップとを備える。
【０００８】
本発明のプログラムによると、コンピュータに、地図上に行政区域を識別する行政区域データを割り当てた地図データを地図データ格納部に格納する地図データ格納手順と、基地局から当該基地局を識別する基地局データと、当該基地局の少なくとも設置座標及びセルを特定するのに必要なデータを含む性能データとを取得する基地局データ取得手順と、前記基地局データ取得手順において取得された性能データに基づいて、前記地図データ格納部が格納する前記地図データが示す地図上に前記基地局の設置座標及びセルをマッピングするマッピング手順と、前記マッピング手順においてマッピングされた前記基地局のセルと前記地図データが示す地図上で重なり合う行政区域の行政区域データを抽出する行政区域データ抽出手順と、前記基地局のセルと前記地図データが示す地図上で重なり合う行政区域の対応関係に基づいて、前記基地局データ取得手順において取得された前記基地局データと、前記行政区域データ抽出手順において抽出された前記行政区域データとを対応付けて基地局データ格納部に格納する基地局データ格納手順と、前記情報配信サーバから情報配信先を示す情報配信先データを受信する情報配信先データ受信手順と、前記情報配信先データ受信手順において受信された前記情報配信先データが示す情報配信先を包含する行政区域を特定する行政区域特定手順と、前記基地局データ格納部が格納する前記基地局データの中から、前記行政区域特定手順において特定された前記行政区域の行政区域データと対応付けられている基地局データを抽出する基地局データ抽出手順と、前記基地局データ抽出手順において抽出された基地局データを、前記情報配信サーバに送信すべき基地局情報として出力する基地局情報出力手順とを実行させる。
【０００９】
本発明のシステムによると、情報を配信する情報配信サーバと、前記情報配信サーバに基地局情報を送信する基地局情報送信制御装置とを備えるシステムであって、前記基地局情報送信制御装置は、地図上に行政区域を識別する行政区域データを割り当てた地図データを格納する地図データ格納部と、基地局から当該基地局を識別する基地局データと、当該基地局の少なくとも設置座標及びセルを特定するのに必要なデータを含む性能データとを取得する基地局データ取得部と、前記基地局データ取得部が取得した性能データに基づいて、前記地図データ格納部が格納する前記地図データが示す地図上に前記基地局の設置座標及びセルをマッピングするマッピング部と、前記マッピング部がマッピングした前記基地局のセルと前記地図データが示す地図上で重なり合う行政区域の行政区域データを抽出する行政区域データ抽出部と、前記基地局のセルと前記地図データが示す地図上で重なり合う行政区域の対応関係に基づいて、前記基地局データ取得部が取得した前記基地局データと、前記行政区域データ抽出部が抽出した前記行政区域データとを対応付けて格納する基地局データ格納部と、前記情報配信サーバから情報配信先を示す情報配信先データを受信する情報配信先データ受信部と、前記情報配信先データ受信部が受信した前記情報配信先データが示す情報配信先を包含する行政区域を特定する行政区域特定部と、前記基地局データ格納部が格納する前記基地局データの中から、前記行政区域特定部が特定した前記行政区域の行政区域データと対応付けられている基地局データを抽出する基地局データ抽出部と、前記基地局データ抽出部が抽出した基地局データを、前記情報配信サーバに送信すべき基地局情報として出力する基地局情報出力部とを有する。
【発明の効果】
【００１０】
以上の説明から明らかなように、本発明によれば、情報配信事業者からの情報配信先の基地局の情報の個別の問い合わせに対して、自動的に最新の正確な基地局の情報を提供することができる。
【図面の簡単な説明】
【００１１】
【図１】一実施形態に係る基地局情報送信システム１００の構成を示す図である。
【図２】基地局情報送信制御装置１１０が基地局１５０の設置座標及びセルをマッピングして行政区域データを抽出する方法の一例を示す図である。
【図３】基地局情報送信制御装置１１０が行政区域データを抽出する方法の一例を示す図である。
【図４】基地局情報送信サーバ１２０のブロック構成の一例を示す図である。
【図５】基地局情報送信サーバ１２０が基地局データを格納処理する処理フローの一例を示す図である。
【図６】基地局情報送信サーバ１２０が、基地局データを出力処理する処理フローの一例を示す図である。
【図７】基地局情報送信サーバ１２０が、基地局１５０の設置位置又はセルを変更処理する処理フローの一例を示す図である。
【図８】基地局データ格納部１１２格納しているデータの一例をテーブル形式で示す図である。
【発明を実施するための形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、一実施形態に係る基地局情報送信システム１００の構成を示す図である。
基地局情報送信システム１００は、基地局情報送信制御装置１１０、複数の無線ネットワーク制御局１３０ａ〜ｂ（以下、無線通信ネットワーク制御局１３０と総称する。）、複数の通信回線１４０ａ〜ｂ（以下、通信回線１４０と総称する。）、複数の基地局１５０ａ〜ｆ（以下、基地局１５０と総称する。）、及び複数の情報配信サーバ１６０ａ〜ｄ（以下、情報配信サーバ１６０と総称する。）を備える。
【００１４】
基地局情報送信制御装置１１０は、基地局情報送信サーバ１２０、地図データ格納部１１１、及び基地局データ格納部１１２を有する。なお、通信回線１４０は、移動体通信網、コアネットワーク、及び例えばインターネット等のコンピュータネットワークである。なお、無線ネットワーク制御局１３０ａ及びｂは、それぞれ異なる通信事業者が提供する別個の移動体通信網であってよい。
【００１５】
基地局情報送信サーバ１２０は、地図上に行政区域を識別する行政区域データを割り当てた地図データを地図データ格納部１１１に格納する。そして、基地局情報送信サーバ１２０は、基地局１５０から基地局１５０を識別する基地局データと、基地局１５０の少なくとも設置座標及びセルを特定するのに必要なデータを含む性能データとを取得する。そして、基地局情報送信サーバ１２０は、取得した性能データに基づいて、地図データ格納部１１１が格納する地図データが示す地図上に基地局１５０の設置座標及びセルをマッピングする。
【００１６】
そして、基地局情報送信サーバ１２０は、マッピングした基地局１５０のセルと地図データが示す地図上で重なり合う行政区域の行政区域データを抽出する。そして、基地局情報送信サーバ１２０は、基地局１５０のセルと地図データが示す地図上で重なり合う行政区域の対応関係に基づいて、取得した基地局データと、抽出した行政区域データとを対応付けて基地局データ格納部１１２に格納する。
【００１７】
一方、基地局情報送信サーバ１２０は、情報配信サーバ１６０から情報配信先を示す情報配信先データを受信する。そして、基地局情報送信サーバ１２０は、受信した情報配信先データが示す情報配信先を包含する行政区域を特定する。そして、基地局情報送信サーバ１２０は、基地局データ格納部１１２が格納する基地局データの中から、特定された行政区域の行政区域データと対応付けられている基地局データを抽出する。そして、基地局情報送信サーバ１２０は、抽出した基地局データを、情報配信サーバ１６０に送信すべき基地局情報として出力する。
【００１８】
図２は、基地局情報送信制御装置１１０がマッピングする基地局１５０の設置座標及びセルを特定する方法の一例を示す図である。
基地局情報送信制御装置１１０は、基地局１５０から、アンテナ緯度１５１、アンテナ経度１５２、アンテナ高度１５３、アンテナ指向方位１５４、電波出力強度１５５、及び電波出力幅１５６を取得する。そして、基地局情報送信制御装置１１０は、地図データ格納部１１１が格納する地図データが示す地図上の座標におけるアンテナ緯度１５１、及びアンテナ経度１５２の座標を、基地局１５０のアンテナが設置されている設置座標として特定する。
【００１９】
そして、基地局情報送信制御装置１１０は、地図上の基地局１５０の設置座標を高度０と仮定して、アンテナ高度１５３から特定される高度を、基地局１５０のアンテナが設置されている設置位置であると決定する。そして、基地局情報送信制御装置１１０は、基地局１５０の設置座標を基準として、地図上の方位に対し、アンテナ指向方位１５４から特定される方位を、基地局１５０の設置座標を基準とした指向性の方位であると決定する。そして、基地局情報送信制御装置１１０は、基地局１５０のアンテナの設置位置を基準とした電波出力強度１５５で特定される電波が到達し得るアンテナからの距離を示す線と、高度０での基地局１５０の設置座標から電波の強さが最大となる方位に延びる線とが交差する点を、基地局１５０のアンテナから放射される電波が到達する限界点であると決定する。そして、基地局情報送信制御装置１１０は、基地局１５０の設置座標と電波が到達する限界点とを結ぶ線を基準線とし、その基準線の長さを半径とする基準線の平面視左右に、電波出力幅１５６で示される角度を均等に割り振った扇形のエリアを、基地局１５０のセルであると特定する。
【００２０】
図３は、基地局情報送信制御装置１１０が基地局１５０の設置座標及びセルをマッピングして行政区域データを抽出する方法の一例を示す図である。
基地局情報送信制御装置１１０の地図データ格納部１１１は、地図上に行政区域を識別する行政区域データを割り当てた地図データを格納する。本実施形態の例では、六角形で区分けされた各エリアを、個別の行政区域としている。
【００２１】
そして、各行政区域エリアには、行政区域を識別する行政区域データが割り当てられる。本実施形態の例では、１５個の行政区域エリアに、それぞれ行政区域データ０１００１〜０１０１５が割り当てられている。基地局情報送信制御装置１１０は、このような地図上に、上記のようにして特定した基地局１５０の設置座標及びセルをマッピングする。本実施形態の例では、行政区域データ０１００９の行政区域エリア内に基地局１５０の設置座標をマッピングしている。また、本実施形態の例では、その設置座標を基準とした細かい網目状の扇形で示すエリアを、セルとしてマッピングしている。
【００２２】
基地局情報送信制御装置１１０は、このようにしてマッピングした基地局１５０のセルと重なり合う行政区域エリアの行政区域データを、この基地局１５０と対応付けて格納するために抽出する。本実施形態の例では、基地局１５０のセルと重なり合う４つの行政区域エリアの行政区域データ０１００５、０１００６、０１００９、及び０１０１０を抽出する。
【００２３】
図４は、基地局情報送信サーバ１２０のブロック構成の一例を示す図である。
基地局情報送信サーバ１２０は、基地局データ取得部１２１、マッピング部１２２、行政区域データ抽出部１２３、情報配信先データ受信部１２４、行政区域特定部１２５、基地局データ抽出部１２６、基地局情報出力部１２７、表示部１２８、及び変更入力受付部１２９を有する。以下、地図データ格納部１１１及び基地局データ格納部１１２が格納するデータ、無線ネットワーク制御局１３０、基地局１５０、及び情報配信サーバ１６０の動作とともに、基地局情報送信サーバ１２０の各構成要素の動作を説明する。
【００２４】
地図データ格納部１１１は、地図上に行政区域を識別する行政区域データを割り当てた地図データを格納する。基地局データ取得部１２１は、基地局１５０から基地局１５０を識別する基地局データと、基地局１５０の少なくとも設置座標及びセルを特定するのに必要なデータを含む性能データとを取得する。また、基地局データ取得部１２１は、複数の基地局１５０を収容する無線ネットワーク制御局１３０から、無線ネットワーク制御局１３０を識別する無線ネットワーク制御局データをさらに取得する。
【００２５】
マッピング部１２２は、基地局データ取得部１２１が取得した性能データに基づいて、地図データ格納部１１１が格納する地図データが示す地図上に基地局１５０の設置座標及びセルをマッピングする。また、マッピング部１２２は、変更入力受付部１２９が受け付けた基地局１５０の設置座標及び／又はセルの変更内容に基づいて、地図データが示す地図上に基地局１５０の設置座標及び／又はセルのマッピングを更新する。
【００２６】
行政区域データ抽出部１２３は、マッピング部１２２がマッピングした基地局１５０のセルと地図データが示す地図上で重なり合う行政区域の行政区域データを抽出する。また、行政区域データ抽出部１２３は、マッピング部１２２が基地局１５０のセルを更新した場合、地図データが示す地図上で重なり合う行政区域の行政区域データを再抽出する。
【００２７】
基地局データ格納部１１２は、基地局１５０のセルと地図データが示す地図上で重なり合う行政区域の対応関係に基づいて、基地局データ取得部１２１が取得した基地局データと、行政区域データ抽出部１２３が抽出した行政区域データとを対応付けて格納する。また、基地局データ格納部１１２は、基地局データ取得部１２１が取得した無線ネットワーク制御局データを、無線ネットワーク制御局１３０が収容する各基地局１５０の基地局データにそれぞれ対応付けて格納する。また、基地局データ格納部１１２は、行政区域データ抽出部１２３が再抽出した基地局１５０のセルと地図データが示す地図上で重なり合う行政区域の対応関係に基づいて、基地局１５０の基地局データと行政区域データとの対応付けを更新する。
【００２８】
情報配信先データ受信部１２４は、情報配信サーバ１６０から情報配信先を示す情報配信先データを受信する。行政区域特定部１２５は、情報配信先データ受信部１２４が受信した情報配信先データが示す情報配信先を包含する行政区域を特定する。基地局データ抽出部１２６は、基地局データ格納部１１２が格納する基地局データの中から、行政区域特定部１２５が特定した行政区域の行政区域データと対応付けられている基地局データを抽出する。また、基地局データ抽出部１２６は、同一の無線ネットワーク制御局データが対応づけられた基地局データを抽出する場合、基地局データの抽出に代えて、無線ネットワーク制御局データを抽出する。
【００２９】
基地局情報出力部１２７は、基地局データ抽出部１２６が抽出した基地局データを、情報配信サーバ１６０に送信すべき基地局情報として出力する。また、基地局情報出力部１２７は、基地局データ抽出部１２６が無線ネットワーク制御局データを抽出した場合、情報配信サーバ１６０に送信すべき基地局情報として出力する。表示部１２８は、マッピング部１２２が基地局１５０の設置座標及びセルをマッピングした地図データが示す地図を管理者に表示する。変更入力受付部１２９は、表示部１２８が表示した地図データが示す地図上の基地局１５０の設置座標又はセルを変更する旨の入力を管理者から受け付ける。
【００３０】
以上説明したように、基地局情報送信サーバ１２０を実際の製品に適用すると、基地局１５０から、基地局１５０の設置座標及びセルを特定し得る情報を得て、それらの情報を基に、行政区域を特定し得る地図データ上に、基地局１５０の設置座標とセルをマッピングして、基地局１５０のセルと地図上で重なり合う行政区域を特定し、その対応関係に基づいて、基地局１５０と基地局１５０のセルの範囲にある行政区域とを対応付けたデータベースを自動的に生成することができる。
【００３１】
また、基地局情報送信サーバ１２０を実際の製品に適用すると、情報配信サーバ１６０から情報配信先の区域のデータを得て、それを基に、その情報配信先の区域を包含する行政区域を自動的に特定し、その行政区域にセルが及んでいる基地局１５０を自動的に特定し、その基地局１５０の基地局情報を基地局情報送信サーバ１２０に提供することができる。
【００３２】
また、基地局情報送信サーバ１２０を実際の製品に適用すると、基地局１５０の設置座標とセルをマッピングした地図を表示部１２８に表示して、管理者がこの表示画面を見ながら、誤登録された基地局１５０の設置座標やセルを容易に変更することができる。
【００３３】
図５は、基地局情報送信サーバ１２０が基地局データを格納処理する処理フローの一例を示す図である。
基地局情報送信サーバ１２０は、予め地図データ格納部１１１に、地図上に行政区域を識別する行政区域データを割り当てた地図データを格納しておく（Ｓ１０１）。具体的には、地図データを構成する複数の画像データのパーツを、各パーツに対応する行政区域データを対応付けて格納しておく。
【００３４】
まず、基地局データ取得部１２１が、基地局１５０から基地局１５０を識別する基地局データと、基地局１５０の少なくとも設置座標及びセルを特定するのに必要なデータを含む性能データとを取得する（Ｓ１０２）。また、基地局データ取得部１２１は、複数の基地局１５０を収容する無線ネットワーク制御局１３０から、無線ネットワーク制御局１３０を識別する無線ネットワーク制御局データをさらに取得する。具体的には、基地局１５０が新設されたり、設定が変更されたりした際に、関連する基地局１５０や無線ネットワーク制御局１３０からデータを取得する。
【００３５】
次に、マッピング部１２２が、基地局データ取得部が取得した性能データに基づいて、地図データ格納部１１１が格納する地図データが示す地図上に基地局１５０の設置座標及びセルをマッピングする（Ｓ１０３）。具体的には、上記のようにして算出した基地局１５０のセルを示す扇形のエリアを構成する座標と一致する座標を有する地図データの各パーツに対して、この基地局１５０のセルを識別するデータを対応付ける。
【００３６】
次に、行政区域データ抽出部１２３が、マッピング部１２２がマッピングした基地局１５０のセルと地図データが示す地図上で重なり合う行政区域の行政区域データを抽出する（Ｓ１０４）。具体的には、上記のようにしてセルを識別するデータを対応付けた地図データを構成する各パーツと対応づけられた行政区域データを抽出する。
【００３７】
このようにして、基地局情報送信サーバ１２０は、基地局１５０のセルと地図データが示す地図上で重なり合う行政区域の対応関係に基づいて、基地局データ取得部１２１が取得した基地局データと、行政区域データ抽出部１２３が抽出した行政区域データとを対応付けて基地局データ格納部１１２に格納し（Ｓ１０５）、処理を終了する。なお、このとき、基地局情報送信サーバ１２０は、基地局データ取得部１２１が取得した無線ネットワーク制御局データを、無線ネットワーク制御局１３０が収容する各基地局１５０の基地局データにそれぞれ対応付けて格納する。
【００３８】
図６は、基地局情報送信サーバ１２０が、基地局データを出力処理する処理フローの一例を示す図である。
まず、情報配信先データ受信部１２４が、情報配信サーバ１６０から情報配信先を示す情報配信先データを受信する（Ｓ２０１）。具体的には、情報配信先データとして、行政区域を特定し得るデータを受信する。
【００３９】
次に、行政区域特定部１２５が、情報配信先データ受信部１２４が受信した情報配信先データが示す情報配信先を包含する行政区域を特定する（Ｓ２０２）。次に、基地局データ抽出部１２６が、基地局データ格納部１１２が格納する基地局データの中から、行政区域特定部１２５が特定した行政区域の行政区域データと対応付けられている基地局データを抽出する（Ｓ２０３）。なお、このとき、基地局データ抽出部１２６は、同一の無線ネットワーク制御局データが対応づけられた基地局データを抽出する場合、基地局データの抽出に代えて、無線ネットワーク制御局データを抽出する。
【００４０】
このようにして、基地局情報出力部１２７が、基地局データ抽出部１２６が抽出した基地局データを、情報配信サーバ１６０に送信すべき基地局情報として出力し（Ｓ２０４）、処理を終了する。また、基地局情報出力部１２７は、基地局データ抽出部１２６が無線ネットワーク制御局データを抽出した場合、情報配信サーバに送信すべき基地局情報として、無線ネットワーク制御局データを出力する。具体的には、基地局情報として、情報配信サーバ１６０が情報配信のために基地局１５０を経由して通信端末に情報を配信することができるように、情報配信サーバ１６０が基地局１５０にネットワークを介して接続することができる情報、例えば、ＩＰアドレス等を基地局情報として送信する。
【００４１】
図７は、基地局情報送信サーバ１２０が、基地局１５０の設置位置又はセルを変更処理する処理フローの一例を示す図である。
表示部１２８は、マッピング部１２２が基地局１５０の設置座標及びセルをマッピングした地図データが示す地図を管理者に表示する（Ｓ３０１）。具体的には、管理者がどこの地図であるかを識別できる程度の情報を持った地図を表示し、その縮尺に合わせて、表示される基地局１５０が自動的に表示切替されるようにする。
【００４２】
まず、変更入力受付部１２９が、表示部１２８が表示した地図データが示す地図上の基地局１５０の設置座標又はセルを変更する旨の入力を管理者から受け付ける（Ｓ３０２）。例えば、マウスカーソルを使って操作することで、基地局１５０の設置座標やセルの変更を受け付けるようにする。
【００４３】
次に、マッピング部１２２が、変更入力受付部１２９が受け付けた基地局１５０の設置座標及び／又はセルの変更内容に基づいて、地図データが示す地図上に基地局１５０の設置座標及び／又はセルのマッピングを更新する（Ｓ３０３）。具体的には、この基地局１５０のセルと地図データのパーツとの対応付けを一旦リセットする。そして、上記のようにして変更された基地局１５０のセルを示す扇形のエリアの半径を示す線分を、基地局１５０の設置座標を基準として、電波出力幅の角度まで再度積分し、半径を示す線分が交差する座標を持つ地図データを構成するパーツに対して、この基地局１５０のセルを識別するデータを対応付ける。
【００４４】
次に、行政区域データ抽出部１２３が、マッピング部１２２が更新した基地局１５０のセルと地図データが示す地図上で重なり合う行政区域の行政区域データを再抽出する（Ｓ３０４）。このようにして、基地局情報送信サーバ１２０は、行政区域データ抽出部１２３が再抽出した基地局１５０のセルと地図データが示す地図上で重なり合う行政区域の対応関係に基づいて、基地局データ格納部１１２における基地局１５０の基地局データと行政区域データとの対応付けを更新する（Ｓ３０５）。
【００４５】
図８は、基地局データ格納部１１２格納しているデータの一例をテーブル形式で示す図である。
基地局データ格納部１１２は、基地局データ及び無線ネットワーク制御局データの組合せに対応付けて、１以上の行政区域データを格納する。基地局データ及び無線ネットワーク制御局データは、情報配信サーバ１６０が情報配信を行う際に、ネットワーク上の基地局１５０又は無線ネットワーク制御局１３０を特定して接続することができるようにするためのデータである。このようなデータとしては、例えば、ＩＰアドレスやＭＡＣアドレス等が考えられる。
【００４６】
行政区域データは、行政区域データ抽出部１２３が地図データから抽出したデータで、行政区域エリアを識別するためのものである。本実施形態の例では、行政区域データを５桁の識別番号としているが、これに限るものではなく、例えば、市区町村名や郵便番号を行政区域データとしてもよい。市区町村名や郵便番号を行政区域データとする場合には、どの行政区域と対応付けられているか一目で認識できるといったメリットがある。
【００４７】
なお、本図の例では、基地局データ格納部１１２は、ＩＰアドレス「２１０．１５３．８４．０／２４」を持つ無線ネットワーク制御局１３０ａに対応付けて、ＩＰアドレス「２１０．１５３．８４．１／２４」を持つ基地局１５０ａ、ＩＰアドレス「２１０．１５３．８４．２／２４」を持つ基地局１５０ｂ、及びＩＰアドレス「２１０．１５３．８４．３／２４」を持つ基地局１５０ｃのデータを格納している。
【００４８】
そして、本図の例では、基地局データ格納部１１２は、ＩＰアドレス「２１０．１５３．８４．１／２４」を持つ基地局１５０ａに対応付けて、行政区域データ「０１００５」、行政区域データ「０１００６」、行政区域データ「０１００９」、及び行政区域データ「０１０１０」のデータを格納している。
【００４９】
上述の基地局情報送信制御装置は、内部にコンピュータシステムを有している。そして、上述した動画処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。
【００５０】
また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイルであってもよい。
【００５１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００５２】
１００  基地局情報送信システム
１１０  基地局情報送信制御装置
１１１  地図データ格納部
１１２  基地局データ格納部
１２０  基地局情報送信サーバ
１２１  基地局データ取得部
１２２  マッピング部
１２３  行政区域データ抽出部
１２４  情報配信先データ受信部
１２５  行政区域特定部
１２６  基地局データ抽出部
１２７  基地局情報出力部
１２８  表示部
１２９  変更入力受付部
１３０  無線ネットワーク制御局
１４０  通信回線
１５０  基地局
１５１  アンテナ緯度
１５２  アンテナ経度
１５３  アンテナ高度
１５４  アンテナ指向方位
１５５  電波出力強度
１５６  電波出力幅
１６０  情報配信サーバ
【図１】
2010258974.tif 000003
【図２】
2010258974.tif 000004
【図３】
2010258974.tif 000005
【図４】
2010258974.tif 000006
【図５】
2010258974.tif 000007
【図６】
2010258974.tif 000008
【図７】
2010258974.tif 000009
【図８】
2010258974.tif 000010